(57)【特許請求の範囲】
【請求項１】
建築物の隅部におけるほぼ直角となる二面に当接し得る取付け板が連設され、これら取付け板の連設部に取付け穴を有する取付け具と、前記各取付け板に取付けられ、配管を曲がり部の両側で保持する保持具と、前記取付け具をその取付け穴の利用により前記建築物の隅部における稜部に取付けることができる締着手段とを備えた隅部用配管支持装置。
【請求項２】
取付け具の各取付け板が、連設部から離隔する側の端部に建築物の隅部における二面から離隔される取付け部を有し、これらの取付け部に保持具の基台に形成された取付け穴が嵌合状態で保持されるように構成された請求項１記載の隅部用配管支持装置。
【請求項３】
各取付け板の取付け部が、保持具を固定するための固定穴を有する請求項２記載の隅部用配管支持装置。
【請求項４】
取付け具における取付け板の連設部の少なくとも一部が面取り状に形成され、この面取り状部に取付け穴が形成された請求項１ないし３のいずれかに記載の隅部用配管支持装置。
【請求項５】
取付け具の連設部における取付け穴が１本の配管に対して１個形成されている請求項１ないし４のいずれかに記載の隅部配管用支持装置。
【請求項６】
締着手段が、建築物の隅部における稜部に形成された穴に挿入される埋込みプラグと、取付け具の取付け穴から前記埋込みプラグに強制的に螺入される頭付きねじとを備えた請求項１ないし５のいずれかに記載の隅部用配管支持装置。
【発明の詳細な説明】
【０００１】
【発明の属する技術分野】
本発明は、住宅等の建築物において、その建築物の内側に配設され、上水道、給湯等に用いられる金属製、樹脂製等の配管を隅部で支持するために用いる隅部用配管支持装置に関する。
【０００２】
【従来の技術】
従来、前記のような配管を建築物の隅部で支持するには、隅部におけるほぼ直角となるコンクリート製の壁にドリルにより各一対の穴を開け、この穴に外周面に凹凸を有し、基部から先端に至る割溝を有する埋込みプラグを抵抗の少ない状態で挿入し、若しくは強制的に挿入し、保持具の基部両側突出部に形成されている穴からビスを前記埋込みプラグに強制的に螺入し、埋込みプラグを割溝により拡開して外周面の凹凸部を壁の穴の周壁に圧接し、抜止め状態に固定することにより、保持具を壁に取付け、配管をその曲げ部の両側で保持具に保持させることにより、配管の曲げ部を建築物の隅部内側に配置するようにした構成が知られている。
【０００３】
【発明が解決しようとする課題】
しかしながら、前記のような従来例の構成では、配管を保持する保持具をコンクリート製の壁に取付け、しかも、１個の保持具を２箇所でビスによりコンクリート製の壁に取付けるため、コンクリート製の壁に対するドリルによる穴開け個所が多く、特に、居住後に配管工事を行う場合には、工事を行っている部屋だけでなく、隣接する部屋、または上下階の部屋に対する騒音が激しく、社会的な問題となっており、自ら工事時間に制約を受けるばかりでなく、特に、老人、病人などに対して配慮することが望まれている。また、配管が材質等の差異により曲げ半径を異にすると、保持具の取付け位置を変更しなければならず、また、配管が径を異にすると、保持具の大きさが異なるためにドリルによる穴開け位置を変更しなければならず、配管の都度、保持具の取付け位置を個別設定する必要があるため、配管作業能率に劣るばかりでなく、品質管理に劣る。更に、保持具の両側突出部を壁にビス止めするため、保持具が上下方向に長く突出することになり、上下方向において大きい取付けスペースを必要とする。
【０００４】
本発明の目的は、前記のような従来の問題を解決しようとするものであり、配管作業に伴って発生する騒音を低減させることができ、したがって、周囲に及ぼす迷惑を抑制することができて工事時間の制約を解消することができ、しかも、工事時間を短縮することができ、また、配管が径の差異を有していても、曲げ半径の差異を有していても、配管の支持位置を個別設定する必要をなくすことができ、したがって、配管作業能率、品質管理の向上等を図ることができるようにした隅部用配管支持装置を提供しようとするものである。
【０００５】
【課題を解決するための手段】
前記課題を解決するために本発明の隅部用配管支持装置は、建築物の隅部におけるほぼ直角となる二面に当接し得る取付け板が連設され、これら取付け板の連設部に取付け穴を有する取付け具と、前記各取付け板に取付けられ、配管を曲がり部の両側で保持する保持具と、前記取付け具をその取付け穴の利用により前記建築物の隅部における稜部に取付けることができる締着手段とを備えたものである。
【０００６】
前記構成において、前記取付け具の各取付け板が、連設部から離隔する側の端部に建築物の隅部における二面から離隔される取付け部を有し、これらの取付け部に前記保持具の基台に形成された取付け穴を嵌合状態で保持するように構成することができ、また、前記各取付け板の取付け部に保持具を固定するための固定穴を形成することができる。
【０００７】
前記取付け具における取付け板の連設部の少なくとも一部を面取り状に形成し、この面取り状部に取付け穴を形成することができる。
【０００８】
前記取付け具の連設部における取付け穴を１本の配管に対して１個形成し、前記取付け具を１本の配管に対して１本の頭付きねじにより建築物の隅部に取付けることができる。
【０００９】
前記締着手段については、前記建築物の隅部における稜部に形成された穴に挿入される埋込みプラグと、前記取付け具の取付け穴から前記埋込みプラグに強制的に螺入される頭付きねじを備えることができる。
【００１０】
前記のように構成された本発明によれば、取付け具の取付け板を建築物の隅部におけるほぼ直角となる二面に当接させた状態で、取付け板の連設部に形成した取付け穴を利用して締着手段により建築物の隅部における稜部に取付けることができ、この取付け具の各取付け板に取付けた保持具に配管をその曲がり部の両側で保持させることにより配管を支持することができる。そして、建築物には取付け具を締着手段により取付けるために、隅部の稜部にのみドリルにより穴開け作業を行うことにより、配管を支持することができるので、配管作業に伴って発生する騒音を低減させることができ、また、保持具を建築物ではなく、取付け具の取付け板に取付けるので、配管の径に対応する保持具を取付け、しかも、その取付け位置を配管の大きい曲げ半径に対応することができるように設定しておくことにより、配管が径の差異を有していても、曲げ半径の差異を有していても、配管の支持位置について個別設定する必要をなくすことができる。
【００１１】
【発明の実施の形態】
以下、本発明の一実施形態について図面を参照しながら説明する。
図１ないし図５は本発明の一実施形態に係る隅部用配管支持装置を示し、図１は配管を支持した状態の斜視図、図２は配管を支持した状態の平面図、図３は配管を支持した状態の側面図、図４は保持具に配管を保持させる前の状態の側面図、図５は分解斜視図である。
【００１２】
本実施形態においては、給水用の配管の支持に適用した例について説明する。
図１ないし図５において、１は建築物の隅部であり、稜部２の両側にほぼ直角となる二面を形成する壁３、４が設けられている。５は給水用の配管であり、隅部１における稜部２および壁３、４の稜部２側付近の内方に位置して曲がり部６が配置される。図示例では、配管５はステンレス等の金属製であり、曲がり部にエルボ状の継手部材７が用いられている。そして、配管５は、継手部材７の両端内側に管８、９の端部が挿入されてシール状態で接続されている。
【００１３】
配管５は隅部１に本実施形態の隅部用配管支持装置１１により支持される。隅部用配管支持装置１１は、本実施形態においては、取付け具１２と、保持具１３と、頭付きねじ１４および埋込みプラグ３９を備えた締着手段とから構成されている。
【００１４】
取付け具１２について説明すると、ステンレス等の金属から成り、隅部１における壁３、４の面に当接し得る細長い取付け板１５、１６が稜部１７によりほぼ直角となるように連設されている。各取付け板１５、１６における稜部１７に対する離隔側の端部に壁３、４の面から離隔されるように折り曲げ部１８、１９により本体部と平行に延びる取付け部２０、２１が形成されている。各取付け部２０、２１は上下方向の幅が狭くなるように設定され、中央部に固定穴２２、２３が形成されている。稜部１７の中央部の上下において、取付け板１５、１６の連設部に一対の横方向に細長い穴２４、２５が形成され、穴２４、２５間が取付け板１５、１６における稜部１７側に対してほぼ４５度の角度となる面取り状部２６に形成され、面取り状部２６の中央部に取付け穴２７が形成されている。
【００１５】
保持具１３について説明すると、ポリアミド等の樹脂から成り、基台２８の両側部に一対のバンド部材２９、３０がヒンジ部３１、３２により開閉可能に連設されている。一方のバンド部材２９の端部には係止部３３が一体的に突設され、他方のバンド部材３０には係止爪３４が一体的に設けられ、係止爪３４の内側には爪部３５が複数箇所に形成されている。そして、バンド部材３０の係止爪３４における爪部３５を弾性変形の利用によりバンド部材２９の係止部３３に強制的に係止することにより、ヒンジ部３１、３２を介してバンド部材２９、３０を閉じて管８、９を抱持状態で保持することができる。このとき、係止爪３４の任意の爪部３５を選択して係止部３３に係止することにより、管８、９の径が多少異なっても、これに対応して保持することができる。これとは逆に、係止爪３４の爪部３５をその弾性変形の利用により係止部３３から強制的に離脱させることにより、管８、９を解放し、管８、９の交換等を行うことができる。基台２８にはバンド部材２９、３０を閉じた空間、すなわち、保持される管８、９の軸心とほぼ平行するような方向に軸心を有する細長い取付け穴３６が形成され、前記空間、すなわち、保持される管８、９の軸心とほぼ直角となるような方向に軸心を有する固定穴３７が形成されている。
【００１６】
頭付きねじ１４としてビスが用いられている。埋込みプラグ３９は、鉛、樹脂等から成り、外周面に凹凸４０を有し、基部から先端に至る割溝４１を有している。
【００１７】
以上の構成において、以下、その使用要領の一例について説明する。
配管５の配設ルートが決定すると、まず、前記配設ルート上において、建築物の隅部１における稜部２において、壁３、４の面がなす角度を二等分する角度、すなわち、壁３、４の面に対してほぼ４５度となる角度でドリルにより穴３８を形成し、この穴３８に埋込みプラグ３９を抵抗の少ない状態で挿入し、若しくは強制的に挿入する。一方、取付け具１２の取付け板１５、１６における取付け部２０、２１に配管５の径に対応する大きさの保持具１３の取付け穴３６を圧入して嵌合状態に保持する。必要に応じて保持具１３の固定穴３７、取付け部２０、２１の固定穴２２、２３を利用し、保持具１３を締着手段などの所望の取付け手段により取付け部２０、２１に固定する。
【００１８】
次に、取付け具１２の稜部１７を隅部１の稜部２に対応させるとともに、取付け具１２の取付け板１５、１６の本体部を稜部２の両側における壁３、４の面に当接させる。この状態で、ビス１４を取付け具１２における面取り状部２６の取付け穴２７から埋込みプラグ３９に強制的に螺入し、埋込みプラグ３９を割溝４１により拡開して外周面の凹凸部４０を穴３８の周壁に圧接し、埋込みプラグ３９を穴３８内に抜止め状態に固定する。そして、ビス１４の頭を取付け穴２７の縁部に係合するまで埋込みプラグ３９に強制的に螺入することにより、取付け具１２を埋込みプラグ３９、すなわち、建築物の隅部１に螺着状態で取付けることができる。このとき、面取り状部２６は壁３、４の面に対してほぼ４５度、すなわち、穴３８、埋込みプラグ３９の軸心と直角になるように配置されているので、ビス１４を埋込みプラグ３９に螺入した状態で、ビス１４の頭部をその全周にわたって取付け穴２７の全周にほぼ均等に圧接することができ、したがって、取付け具１２を隅部１に確実な安定状態に取付けることができる。
【００１９】
その後、前記のように配管５の管８、９を継手部材７の両側において、保持具１３における開放状態のバンド部材２９、３０間に挿通させ、配管５を押圧し、バンド部材２９、３０をヒンジ部３１、３２を介して閉じて係止爪３４の爪部３５を係止部３３に係止させることにより、配管５を離脱しないように保持することができる。これにより、配管５をその曲がり部６が隅部１の内方に位置した配設状態で隅部１に支持することができる。
【００２０】
なお、取付け具１２を隅部１に取付けた後、保持具１３の取付け穴３６を取付け具１２の取付け部２０、２１に圧入して嵌合状態に保持するようにしてもよい。また、給水用の配管５を隅部１に支持する場合について説明したが、例えば、給水用の配管５の下側で給湯用の配管を前記と同様の隅部用配管支持装置１１により支持することができる。この場合、給水用の配管５と給湯用の配管を支持する取付け具１２における取付け板１５、１６を一枚の金属製等の板材により一体的に形成することでき、この場合、取付け板１５、１６の連設部には各配管に対応するように取付け穴２７を形成することができる。
【００２１】
前記実施形態によれば、隅部１の稜部２に１本の配管５に対して１個の穴３８をドリルにより形成するだけでよいので、穴開け箇所を少なくして配管作業に伴って発生する騒音を低減することができ、部品点数も少なくすることができる。また、前記従来例のように保持具の両側突出部を壁にビス止めすると、その両側突出部の突出長さを必要とするため、上下方向において大きい取付けスペースを必要とするが、前記実施形態によれば、保持具１３は取付け具１２の取付け板１５、１６に取付けるようにしているので、従来例のような突出部を不要とすることができ、しかも、取付け具１２は配管５の背方で隅部１にビス１４により取付けることにより、取付け具１２自身の上下方向の幅もなるべく狭くなるように形成することができ、したがって、省スペース化を図ることができる。更に、配管５の径に対応した大きさの保持具１３を用意しておくことにより、また、保持具１３の取付け位置を曲率の大きい配管に対応させておくことにより、各種の配管に対応することができる。
【００２２】
なお、前記実施形態においては、取付け具１２の取付け板１５、１６を内面側においてほぼ直角となるように連設しているが、直角よりもやや鈍角となるように連設し、取付け板１５、１６を壁３、４に押圧状態で当接させて取付け穴２７からビス１４により隅部１の稜部２に取付けるようにすることにより、取付け板１５、１６の反撥力により取付け穴２７の縁部をビス１４の頭部に圧接することができ、ビス１４の緩みを防止して長期間にわたって確実に配管５を支持することができ、配管支持の信頼性を向上させることができる。また、取付け具１２における取付け板１５、１６の連設部は上下方向の全長にわたって面取り状に形成することもできる。また、取付け具１２における取付け板１５、１６の連設部は上下方向の全長にわたって稜部を有するように形成し、この稜部に取付け穴２７を形成することもできる。更に、金属製の配管５に替えて樹脂製の配管を支持することもできる。また、保持具１３は前記実施形態の構成に限定されるものではなく、配管を保持することができる構成であれば、いかなる構成であってもよい。このほか、本発明は、その基本的技術思想を逸脱しない範囲で種々設計変更することができる。
【００２３】
【発明の効果】
以上説明したように本発明によれば、取付け具の取付け板を建築物の隅部におけるほぼ直角となる二面に当接させた状態で、取付け板の連設部に形成した取付け穴を利用して締着手段により建築物の隅部における稜部に取付けることができ、この取付け具の各取付け板に取付けた保持具に配管をその曲がり部の両側で保持させることにより配管を支持することができる。そして、建築物には取付け具を締着手段により取付けるために、隅部の稜部にのみドリルにより穴開け作業を行うことにより、配管を支持することができるので、配管作業に伴って発生する騒音を低減させることができる。したがって、周囲に及ぼす迷惑を抑制することができて工事時間の制約を解消することができ、しかも、工事時間を短縮することができる。また、保持具を建築物ではなく、取付け具の取付け板に取付けるので、配管の径に対応する保持具を取付け、しかも、その取付け位置を配管の大きい曲げ半径に対応することができるように設定しておくことにより、配管が径の差異を有していても、曲げ半径の差異を有していても、配管の支持位置について個別設定する必要をなくすことができ、したがって、配管作業能率、品質管理の向上等を図ることができる。
【図面の簡単な説明】
【図１】本発明の一実施形態に係る隅部用配管支持装置を示し、配管を支持した状態の斜視図である。
【図２】同隅部用配管支持装置を示し、配管を支持した状態の平面図である。
【図３】同隅部用配管支持装置を示し、配管を支持した状態の側面図である。
【図４】同隅部用配管支持装置に用いる保持具に配管を保持させる前の状態の側面図である。
【図５】同隅部用配管支持装置を示す分解斜視図である。
【符号の説明】
１  建築物の隅部
３  壁
４  壁
５  配管
１１  隅部用配管支持装置
１２  取付け具
１３  保持具
１４  頭付きねじ（ビス）
１５  取付け板
１６  取付け板
２７  取付け穴
３６  固定穴
３９  埋込みプラグ
【図１】
0003668434.tif 000002
【図２】
0003668434.tif 000003
【図３】
0003668434.tif 000004
【図４】
0003668434.tif 000005
【図５】
0003668434.tif 000006